(57)【要約】【課題】抗外灯などの単独構造物の交換や更新の際に、設置用の基礎アンカーを掘り出して交換する手間を低減する。【解決手段】単独構造物を固定する基礎アンカーを、上下方向に配列された複数本の柱体とこの複数本の柱体を固定する枠体とから構成し、複数の柱体の少なくとも２以上の柱体の先端に取替可能に取替部材を結合する。取替部材が結合される柱体の先端にメス部を備え、取替部材は、一端に柱体のメス部に係合するオス部を備え、他端に雄ネジを形成する。この雄ネジに、抗外灯などの単独構造物を固定する。こうすれば、抗外灯などの交換あるいは更新時に、取替部材のみを交換すればよく、基礎アンカー全体の取替えを要しない。【選択図】図１
2015034432.tif 000002
【特許請求の範囲】
【請求項１】
単独構造物を固定する基礎アンカーであって、
上下方向に配列された複数本の柱体と、
該複数本の柱体を固定する枠体と、
前記複数の柱体の少なくとも２以上の柱体の先端に取替可能に結合される取替部材と
を備え、
前記取替部材が結合される前記柱体は、該柱体の先端にメス部を備え、
前記取替部材は、一端に前記メス部に係合するオス部を備え、他端に雄ネジを形成した
基礎アンカー。
【請求項２】
請求項１記載の基礎アンカーであって、
前記柱体の前記メス部は、所定長さに亘って雌ネジが形成されており、
前記取替部材の前記オス部は、前記雄ネジが、前記雌ネジに螺合する位置まで延長して形成された
基礎アンカー。
【請求項３】
請求項２記載の基礎アンカーであって、
前記柱体の前記雌ネジが形成されたメス部の下方は、前記雌ネジの内径より大きな内径に形成され、
前記取替部材は、前記柱体に収納される金属棒の先端部に前記雄ネジが形成されている
基礎アンカー。
【請求項４】
前記柱体は、前記雌ネジが形成された第１の鋼管と、該雌ネジの内径より大きな内径を有する第２の鋼管とを溶接して形成された請求項３記載の基礎アンカー。
【請求項５】
請求項１から請求項４のいずれか一項に記載の基礎アンカーを、該基礎アンカーを収容可能なドラム内に固定し、該ドラム内にグラウト材を流し込んで固めたプレキャスト製品。
【請求項６】
地面に単独構造物を固定する単独構造物の設置方法であって、
請求項１から請求項５のいずれか一項に記載の基礎アンカーと該基礎アンカーを収容可能なドラムとを用意し、
前記単独構造物の設置箇所に相当する地面に、少なくとも前記ドラムを収容可能な埋設穴を掘り、
該ドラムの内側に前記基礎アンカーを収容して固定し、
前記ドラムの内側にコンクリートを流し込むと共に、前記内部に基礎アンカーを収容したドラムを、前記基礎アンカーの前記雄ネジが露出するよう前記埋設穴に埋設し、
前記基礎アンカーの前記雄ネジを、前記単独構造物の基礎部を貫通させ、ナットにより固定することで、前記単独構造物を固定する
単独構造物の設置方法。
【請求項７】
前記単独構造物は、抗外灯、道路標識、信号灯、街路看板のいずれか１つである請求項６記載の単独構造物の設置方法。
【請求項８】
請求項６または請求項７記載の単独構造物の設置方法であって、
前記単独構造物の取替時には、前記ナットによる固定を解除し、前記取替部材を新たな取替部材に取り替えて、前記柱体のメス部に前記新たな取替部材のオス部を係合させた上で、単独構造物を、前記新たな取替部材の雄ネジに、ナットを用いて固定する
単独構造物の設置方法。
【請求項９】
請求項６から請求項８のいずれか一項に記載の単独構造物の設置方法であって、
前記ナットにより、前記単独構造物の基礎部を固定した後、前記ナットに外嵌する開口部を備えた緩み止め部材を該開口部により前記ナットに嵌合し、該緩み止め部材を、前記基礎アンカーを埋設したコンクリートに係止した
単独構造物の設置方法。
【発明の詳細な説明】
【技術分野】
【０００１】
本発明は、柱脚固定用基礎アンカーおよびこれを用いた単独構造物の設置方法に関する。
【背景技術】
【０００２】
従来、抗外灯や道路標識、街路看板など（以下、これらを総称して単独構造物という）を設置する場合、基礎アンカーを埋設し、これに抗外灯などの柱脚をナットで固定するという手法が採られていた。基礎アンカーは、直方体形状の枠体構造を備え、枠体を構成する上下方向の４本の鉄筋の先端にネジを螺刻した構造を有するものが知られている（例えば、下記特許文献１参照）。
【先行技術文献】
【特許文献】
【０００３】
【特許文献１】特開２００１−２０７４６１号公報
【特許文献２】特開平６−２２８９７２号公報
【０００４】
この基礎アンカーを設置するには、まず地面に基礎アンカーが埋設可能な穴を掘り、ここに予め基礎アンカーとして構成した枠体構造を埋設し、コンクリートを流し込んで固定する。この結果、基礎アンカーは地面に固定され、複数本の鉄筋の上部、即ちネジが螺刻された部分が、コンクリートの表面から突出した状態となる。
【０００５】
他方、この基礎アンカーに固定する抗外灯や街路看板などの柱脚には、基礎アンカーの鉄筋に合わせた位置に、開口部を用意する。柱脚の穴を基礎アンカーの複数本の鉄筋に合わせて差し込み、ナットを用いて、柱脚を基礎アンカーにしっかりと固定する。ナットとして緩み止め用の特殊な構造を備えたナットを用いたり、ナットの螺着部にロックタイト（商品名）などの固定用接着剤を塗布して、ナットの緩みを防止することも広く行なわれている。
【発明の概要】
【発明が解決しようとする課題】
【０００６】
しかしながら、こうした柱脚固定用の基礎アンカーは、屋外で用いられるものであるため、錆の発生や腐食の進行といった課題から免れがたく、経年劣化により取替が必要になる。また、抗外灯などの単独構造物を交換あるいは更新する場合にも、併せて基礎アンカーを取り替えることが多い。その場合、基礎アンカー全体がコンクリートにより固定されているため、基礎アンカーの取替には、多大の手間を要するという課題があった。基礎アンカーを取り替えるには、まず基礎アンカーに固定された抗外灯などの単独構造物を取り外し、その上で、重機などにより基礎アンカーを掘り出す必要があった。抗外灯などは、道路脇に設置されていることが多いので、その取替は、道路の一部封鎖などを伴うこともあり、工事期間が限られるという課題も指摘されていた。また場合によっては、防音壁の工事などにより、新たな構造物が設置されており、そもそも基礎アンカーを掘り出す工事の実施が困難な場合も生じ得た。
【０００７】
こうした問題は、抗外灯だけでなく、道路標識、信号灯、街路看板なども含めて同様であった。また、このほか、従来の基礎アンカーにおいては、その小型化や、低コスト化、省資源化、製造の容易化、使い勝手の向上等が望まれていた。同様に、抗外灯などの単独構造物の設置についても、その低コスト化、省資源化、設置の容易化、メンテナンスの費用および手間の低減などが望まれていた。
【課題を解決するための手段】
【０００８】
本発明は、上述の課題の少なくとも一部を解決するためになされたものであり、以下の形態として実現することが可能である。
【０００９】
（１）本発明の第１の形態によれば、単独構造物を固定する基礎アンカーが提供される。この基礎アンカーは、上下方向に配列された複数本の柱体と、該複数本の柱体を固定する枠体と、前記複数の柱体の少なくとも２以上の柱体の先端に取替可能に結合される取替部材とを備える。取替部材が結合される前記柱体は、該柱体の先端にメス部を備えて良い。また、この取替部材は、一端に前記メス部に係合するオス部を備え、他端に雄ネジを形成して良い。
【００１０】
かかる基礎アンカーは、単独構造物に設けられた取付穴や取付用切り欠きに、取替部材の雄ネジを配置し、ナットで締めることにより、抗外灯などの単独構造物を容易に設置できる。しかも単独構造物の交換や更新時には、基礎アンカー全体を取替えなくても、取替部材だけを取替えれば足りるという優れた効果を奏する。従って、省資源であるばかりでなく、交換・更新作業の工期の短縮化、コストの削減などを実現することができる。
【００１１】
（２）こうした基礎アンカーにおいて、前記柱体の前記メス部は、所定長さに亘って雌ネジを形成するものとしても良く、前記取替部材の前記オス部は、前記雄ネジが、前記雌ネジに螺合する位置まで延長して形成されたものとしてもよい。
【００１２】
かかる基礎アンカーでは、柱体と取替部材との固定をネジにより簡略に行なうことができ、しかも取替部材として寸切りボルトなどを用いることができ、構成を簡略化することできる。
【００１３】
（３）上記の基礎アンカーにおいて、前記柱体の前記雌ネジが形成されたメス部の下方は、前記雌ネジの内径より大きな内径に形成してもよく、前記取替部材は、前記柱体に収納される金属棒の先端部に前記雄ネジが形成されたものとしても良い。
【００１４】
かかる基礎アンカーでは、メス部の下方が雌ネジの内径より大きな内径とされているので、雄ネジを形成した取替部材を螺合していくとき、雌ネジの下端の位置を気にする必要がない。従って、取替部材の柱体への取付が一層容易となる。また、支柱内の雌ネジ形成の範囲を限定することができ、加工が容易となる。
【００１５】
（４）こうした基礎アンカーは、前記柱体を、前記雌ネジが形成された第１の鋼管と、該雌ネジの内径より大きな内径を有する第２の鋼管とを溶接して形成することも差し支えない。このすれば、基礎アンカーを一層容易に製造することができる。
【００１６】
（５）本発明の第２の形態によれば、上記の基礎アンカーを、該基礎アンカーを収容可能なドラム内に固定し、該ドラム内にグラウト材を流し込んで固めたプレキャスト製品が提供される。かかるプレキャスト製品では、予めドラム内に基礎アンカーがグラウト材、例えばコンクリートで固定されているので、現場でコンクリート等を流し込んで固化させる必要がなく、取扱が容易である。
【００１７】
（６）本発明の第３の形態によれば、地面に単独構造物を固定する単独構造物の設置方法が提供される。かかる設置方法では、上記の基礎アンカーと該基礎アンカーを収容可能なドラムとが用意される。そして、前記単独構造物の設置箇所に相当する地面に、少なくとも前記ドラムを収容可能な埋設穴を掘り、該ドラムの内側に前記基礎アンカーを収容して固定し、前記ドラムの少なくとも内側にコンクリートを流し込む。この作業と共に、前記内部に基礎アンカーを収容したドラムを、前記基礎アンカーの前記雄ネジが露出するよう埋設穴に埋設する。この状態で、前記基礎アンカーの前記雄ネジを、前記単独構造物の基礎部に貫通させ、ナットにより固定する。こうして、前記単独構造物を固定することができる。
【００１８】
かかる単独構造物の設置方法によれば、単独構造物を容易に設置でき、またその交換や更新を容易に行なうことができる。
【００１９】
（７）  前記単独構造物は、抗外灯、道路標識、信号灯、街路看板のいずれか１つとすることができる。
【００２０】
（８）こうした単独構造物の設置方法において、単独構造物の取替時には、前記ナットによる固定を解除し、前記取替部材を新たな取替部材に取り替える。その上で、前記柱体のメス部に前記新たな取替部材のオス部を係合させた上で、単独構造物を、前記新たな取替部材の雄ネジに、ナットを用いて固定することができる。
【００２１】
かかる単独構造物の設置方法によれば、取替部材の取替えだけで済み、基礎アンカー全体の取替えを要しないので、交換や更新の手間や工期を大幅に低減することができる。
【００２２】
（９）上記の単独構造物の設置方法において、前記ナットにより、前記単独構造物の基礎部を固定した後、前記ナットに外嵌する開口部を備えた緩み止め部材を該開口部により前記ナットに嵌合し、該緩み止め部材を、前記基礎アンカーを埋設したコンクリートに係止するものとしても良い。こうすれば、ナットの緩み止めを確実に行なうことができ、単独構造物の設置を一層確実なものとすることができる。
【００２３】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行なうことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００２４】
本発明は、基礎アンカー以外の種々の形態で実現することも可能である。例えば、基礎アンカーの製造方法、単独構造物の取替え方法等の形態で実現することができる。
【図面の簡単な説明】
【００２５】
【図１】実施形態の柱脚固定用基礎アンカーの平面および正面図。
【図２】第１実施形態の柱脚固定用基礎アンカーのプレキャストの形状を示す一部破断図。
【図３】プレキャストの埋設の様子を示す説明図。
【図４】柱脚固定用基礎アンカーを用いて抗外灯を設置した状態を示す説明図。
【図５】実施形態の柱脚固定用基礎アンカーの支柱の構造を示す説明図。
【図６】柱脚を基礎アンカーに固定した様子を示す正面図。
【図７】柱脚を基礎アンカーに固定した様子を示す平面図。
【図８】ナットの緩み止め板の形状を示す説明図。
【図９】支柱の詳細構造を示す断面図。
【図１０】他の実施形態における支柱の構造を示す断面図。
【図１１】単独構造物の設置方法を示す工程図。
【図１２】単独構造物の交換・更新方法を示す工程図。
【発明を実施するための形態】
【００２６】
Ａ．基礎アンカーの構造：
図１ないし図３を用いて、本発明の一実施形態としての柱脚固定用基礎アンカー（以下、単に基礎アンカーという）の構造およびプレキャストの構造について説明する。図１に示すように、本実施形態の基礎アンカー１０は、回廊形状とされた２つの枠体１２，１４の４隅に柱体としての支柱２１ないし２４が固定されている。枠体１２と枠体１４とは、平行に配置されている。枠体１２，１４および支柱２１ないし２４は、いずれも鋼鉄製であり、固定は、溶接により行なわれる。支柱や枠体等はステンレスなど他の金属製としても良い。
【００２７】
支柱２１ないし２４は、上方端に雌ネジが螺設されており、ここに取替部材としての寸切りボルト３１ないし３４がねじ込まれている。この実施形態においては、寸切りボルト３１ないし３４は、Ｍ２４のメートルネジが螺刻されている。従って、支柱２１ないし２４の上端の雌ネジもＭ２４である。ネジ径は、基礎アンカー１０の大きさ、固定される柱脚の大きさ、抗外灯の重さなどにより、選択する。なお、この実施形態では、各支柱の間隔は３００ミリ、支柱２１ないし２４の長さは４５０ミリ、支柱２１ないし２４の外径は３０ミリである。また、寸切りボルト３１ないし３４の長さは３００ミリとしている。もとより、各部材の寸法は一例であり、各部材の寸法はこれに限らない。
【００２８】
溶接により組み立てられた基礎アンカー１０を次にブレキャストに作り込む。図２に示すように、この基礎アンカー１０を、内部に収容可能な鉄製のドラム４０を用意する。このドラム４０の長さは本実施形態では２１００ミリ、ドラム４０の径は５００ミリ、である。このドラム４０の内部に、基礎アンカー１０を収容し、鉄筋を溶接してドラム４０内部に基礎アンカー１０を固定する。図２では、鉄筋は、符号４１ないし４４、５１、５３などにより示したが、基礎アンカー１０が脱落することなく固定できれば良く、本数は適宜選択可能である。
【００２９】
ドラム４０内に基礎アンカー１０を鉄筋４１等で固定したあと、このドラム４０内にコンクリートを流し込む。コンクリートが固まると、ドラム４０に対して基礎アンカー１０は完全に埋設固定され、コンクリートの表面からは、支柱２１ないし２４の上端部が僅かに突出した状態となり、ここに寸切りボルト３１ないし３４が装着された状態となる。寸切りボルト３１ないし３４は、支柱２１ないし２４にネジにより嵌合しているので、寸切りボルト３１ないし３４を回転することにより、寸切りボルト３１ないし３４の突出高さは、調整することができる。ドラム４０の内部に基礎アンカー１０を埋設固定した構造物を、プレキャスト２００と呼ぶ。
【００３０】
次にこのプレキャスト２００を用いて抗外灯の柱脚を固定する様子を図３、図４を用いて説明する。まず地面ＧＤの所定の場所を掘り、埋設穴１００を形成する（図３最上欄（Ａ）参照）。この埋設穴１００に、先に形成し、十分な時間養生したプレキャスト２００を配置する（図３中欄（Ｂ）参照）。その上で、埋設穴１００を埋め戻す。これでプレキャスト２００が地面に埋設される。なお、埋設穴１００は、埋め戻す代わりに、コンクリートを流し込んで固めても良い。次に、地面に埋設されたプレキャスト２００の表面に突出しているこの寸切りボルト３１ないし３４に、図４に示すように、抗外灯３００の柱脚をナットで固定する。こうして抗外灯３００などの単独構造物が地面ＧＤの所定の場所に設置される。
【００３１】
基礎アンカー１０の詳細構造について補足説明する。図５は、支柱２１と寸切りボルト３１の構造を示す説明図である。図示するように、寸切りボルト３１は、支柱２１の一端に螺刻された雌ネジに螺合する。この寸切りボルト３１の先端には、六角柱形状に切削加工され、六角部６１とされている。寸切りボルト３１を支柱２１に螺合して、所定寸法が支柱２１から露出した状態とする。この状態では、寸切りボルト３１の大部分、本実施形態では、２／３程度は、支柱２１内に収容された状態となる。寸切りボルト３１にはナット７１を螺合して、高さ調整をし、その上から抗外灯３００の柱脚３１０をはめ込み、更にナット７２を螺合して、柱脚３１０を固定する。なお、支柱２１ないし２４の高さが揃っていれば、高さ調整用のナット７１は用いなくても差し支えない。また高さ調整用のナットはＷナットにして動かないようにすることも好適である。あるいは高さ調整用には、高さの異なる鋼鉄製のスペーサを用意し、これをナット７１に代えて、支柱２１ないし２４に装着することで、各支柱２１ないし２４における柱脚の高さを揃えるものとしても良い。
【００３２】
プレキャスト２００に埋設・固定された基礎アンカー１０に抗外灯３００の柱脚３１０を固定した様子を図６および図７に示した。この例では、柱脚３１０を固定する支柱毎のそれぞれのナット７２には、更に緩み止めプレート８１を用いて、これを固定している。緩み止めプレート８１は、図７に示すように、抗外灯３００の柱脚３１０を固定する４箇所全部に取り付けている。この緩み止めプレート８１は、図８に示すように、ナット７２の外形形状に合わせ、これに外嵌する六角形の開口部と、緩み止めプレート８１自体を固定するための固定用開口部とを備えている。ナット７２を各支柱２１ないし２４の寸切りボルト３１ないし３４に螺合し、トルクレンチを用いて一定のトルクで締め込んだ後、そのナット７２に六角形の開口部を外嵌し、段差を設けた他端の固定用開口部を、コンクリートに打ち込んだアンカーボルト９１に、別のナット９２により固定する。こうすることで、抗外灯３００の柱脚３１０を固定したナット７２が緩むことが確実に防止される。
【００３３】
本実施形態の支柱２１と寸切りボルト３１とを組み合わせた構成について更に説明する。図９は、支柱２１と寸切りボルト３１の構成を示す一部断面図である。図示するように、Ｍ２４の雄ネジが長さ方向に亘って形成された寸切りボルト３１の先端は平径１９ミリの六角形状に切削加工され、六角部６１とされている。この寸切りボルト３１の全長は、既に説明したように、３００ミリである。他方、支柱２１は、その一端にＭ２４の雌ネジが、長さ約１５０ミリに亘って形成されている。また、支柱２１の雌ネジ部の下は、反対側の端部から中繰りして、内径２６ミリに後加工されている。従って、支柱２１の上端から寸切りボルト３１をねじ込んでいくと、ネジ部のかかりは最大で全長１５０ミリに及ぶことになる。それ以上ねじ込んだ場合、寸切りボルト３１の下端は、支柱２１の雌ネジから離脱するものの、支柱２１内に収容されたままの状態となる。
【００３４】
支柱２１は、本実施形態では、１本の鋼管の上端部に雌ネジを形成し、他端から後加工で中繰りしている。これに対して、図１０に示すように、雌ネジが加工された短寸の雌ネジ部２１ａと、内径が雌ネジ部２１ａの内径より大きく雌ネジ部２１ａより長寸の鋼管部２１ｂとを、溶接部２１ｃで溶接して支柱２１を形成しても良い。このとき、雌ネジ部２１ａと鋼管部２１ｂとの外径は一致していることが好ましいが、雌ネジ部２１ａに螺合した寸切りボルト３１が鋼管部２１ｂ内に進入できれば、いずれの外径が大きくても差し支えない。
【００３５】
以上説明した基礎アンカー１０およびこれを固定したプレキャスト２００を用いた固定構造では、抗外灯３００等の単独構造物を取替える際、あるいは柱脚と基礎アンカー１０のボルトとの結合部が錆びるなどして取替えが必要となった際、基礎アンカー１０やプレキャスト２００を掘り出すといった必要がない。交換は、柱脚３１０を固定している緩み止めプレート８１をまず外し、その後、ナット７２を外し、更に六角部６１にスパナなどの工具をかけて、寸切りボルト３１を回転して、支柱２１ないし２４の雌ネジ部との螺合を解くことにより行なわれる。その後、新しい寸切りボルト３１を支柱２１ないし２４の雌ネジ部に螺合し、最初に抗外灯３００の柱脚３１０を取り付けたのと同じ手順で、抗外灯３００を取り付ければ良い。
【００３６】
従って、本実施形態の柱脚固定用の基礎アンカー１０およびプレキャスト２００を用いれば、基礎アンカー１０およびプレキャスト２００を掘り返す必要がなく、抗外灯３００等の単独構造物の取替えや、その柱脚３１０とボルトとの締結の更新作業などを極めて容易に行なうことができる。工期を短縮できるだけでなく、省資源やコストの低減にも寄与することができる。
【００３７】
本実施形態では、抗外灯３００等の単独構造物を固定するボルト部分は、交換可能とされ、支柱２１ないし２４とは螺合しているだけである。しかしながら、寸切りボルト３１の雄ネジと支柱２１ないし２４の雌ネジとの螺合長さは、ネジの径（ここではＭ２４）の数倍以上に及んでいる。一般にネジの螺合部の破壊強度（結合しているネジ山が崩れてネジが抜ける強度）は、ネジの螺合部分の長さがネジの径の２倍以上あれば、ボルト自体の破断強度より大きい。従って、寸切りボルト３１が基礎アンカー１０の支柱２１ないし２４にコンクリートやモルタルなどのグラウト材により固定されていなくても、基礎アンカー１０と柱脚３１０との締結の強さは変わるところがない。
【００３８】
また、本実施形態では、緩み止めプレート８１を用いて、４つのナット７２の緩み止めを施しているので、ロックタイトなどを用いた固定と比べて、ナットの緩みや離脱を、より確実に防止することができる。更に、本実施形態では、寸切りボルト３１の先端を六角形状の六角部６１としているので、寸切りボルト３１ないし３４を交換する際、工具を用いて、寸切りボルト３１ないし３４を容易に回すことができ、その螺合を解除することができる。したがって、寸切りボルト３１ないし３４が錆び付いたり腐食したりして支柱２１ないし２４に固着していても、容易に交換することができる。
【００３９】
以上、本実施形態の基礎アンカー１０およびプレキャスト２００の構造を中心に、抗外灯の設置方法についても併せて説明したが、以下、この基礎アンカー１０およびプレキャスト２００を用いた単独構造物設置方法についてまとめる。図１１は、単独構造物の設置方法を示す工程図である。この工程図では、基礎アンカー１０は予めプレキャストしているが、プレキャストとせず、現場でコンクリートを流し込んで、基礎アンカー１０をドラム４０内に固定しても良いことはもちろんである。
【００４０】
Ｂ．抗外灯の設置方法：
実施形態として抗外灯の設置方法について、図１１を参照しつつ説明する。なお、説明における部材の符号は、図１ないし図４に従う。
工程Ｓ１０：基礎アンカー１０とこの基礎アンカーを収容可能なドラム４０とを用意する。抗外灯３００も用意する。このとき、基礎アンカー１０は、４本の支柱を四隅に立設した構造とし、支柱の上端には雌ネジを形成し、ここに取替部材としての寸切りボルトが螺合している。
工程Ｓ２０：抗外灯の設置箇所に相当する地面に、ドラム４０を収容可能な埋設穴を掘る。
工程Ｓ３０：ドラム４０の内側に基礎アンカー１０を収容して固定する。固定は、基礎アンカー１０とドラム４０とに鉄筋等を溶接することにより行なっても良いし、両者を固定するための固定穴などを設け、ボルト・ナットで固定しても良いし、リベットなどで固定するものとしても良い。互いに組み付け可能な形状として組み立てるものとしても良い。
【００４１】
工程Ｓ４０：ドラム４０の内側にコンクリートを流し込むと共に、内部に基礎アンカー１０を収容したドラム４０を、埋設穴の内部に、基礎アンカー１０の雄ネジが露出するよう埋設する。このとき、ドラム４０に基礎アンカー１０を収容した状態で、コンクリートをドラム４０内に流し込んで固化させた、いわゆるプレキャストを予め製造してから、これを埋設穴に埋設している。これに対して、内部に基礎アンカー１０を収容したドラムを埋設穴内に設置した状態でコンクリートを流し込み、固化させて全体を土中に埋設しても良い。
工程Ｓ５０：基礎アンカー１０の雄ネジを、単独構造物である抗外灯３００の基礎部である柱脚の固定穴に貫通させ、ナットにより固定する。このとき、ナットには所望の方法で緩み止めを施せば良い。例えば、ナットに外嵌する六角形の開口部を備えた金具を用意し、この開口部をナットに外嵌し、金具をコンクリートに設置したアンカーボルトに固定するといった構造を採用しても良い。
以上の工程により、単独構造物である抗外灯３００を設置することができる。
【００４２】
また、こうして設置した抗外灯３００は、図１２に示した以下の手順により、その設置を更新することができる。
工程Ｓ１１０：単独構造物である抗外灯３００の取替時には、抗外灯３００の柱脚を基礎アンカー１０に固定していたナットを緩め、両者の固定を解除する。緩み止めがナットに施されている場合には、緩み止めを解除してからナットを取り外す。
工程Ｓ１２０：抗外灯３００を基礎アンカー１０の雄ネジから離脱させる。
工程Ｓ１３０：基礎アンカー１０の支柱２１ないし２４に備えられた取替部材としての寸切りボルト３１ないし３４を新たな寸切りボルトに取り替える。
工程Ｓ１４０：抗外灯３００を、新たな寸切りボルト３１ないし３４雄ネジに、ナットを用いて固定する。この固定は、図１１に示した工程Ｓ５０と同様である。
【００４３】
以上説明した抗外灯の設置方法およびその更新方法によれば、抗外灯や道路標識などの単独構造物の設置は従来と同様に可能な上、抗外灯などの更新の際に、基礎アンカー全体を掘り出すといった手間を要しない、という優れた効果を奏する。基礎アンカー１０の取替部材である寸切りボルト３１ないし３４を取替えれば、基礎アンカー１０と抗外灯などの基礎部である柱脚との固定を、古い部材ではなく、新たな部材により行なうことができる。このため、安全性を確保したまま、基礎アンカーの取替え工事などを大幅に簡略化することができる。
【００４４】
Ｃ．変形例：
・変形例１：
上記各実施形態では、支柱のメス部は雌ネジを形成し、取替部材のオス部は雄ネジとしているが、メス部、オス部はネジに限らない。例えば、支柱の開口部は真円以外の形状とし、取替部材の下端部をこの開口部の形状に合わせた形状とし、取替部材を支柱の開口部に挿入したあと、取替部材を回転することにより、取替部材の下端部が支柱内部でロックされる構造を採用しても差し支えない。かかる構造は、例えばキーを回すとロックから抜けなくなる構造など、周知のものである。
【００４５】
あるいは、取替部材のオス部を支柱先端のメス部に挿入したあと、支柱先端の側部から別のネジを螺入して両者を一体化する構成、あるいは取替部材の中心に所定の内径の貫通孔を明け、ここにロックピンを配置し、これをたたき込むことで通常のアンカーボルトと同じ方法で、取替部材を支柱に固定するものとしても良い。この場合、ロックピンを引き抜くことで、取替部材を支柱から取り外すことができる。
【００４６】
・変形例２：
上記の実施形態では、支柱および寸切りボルトはいずれも４本としたが、抗外灯などの単独構造物を固定できれば、これらは複数本であれば、何本でも差し支えない。例えば３本、６本、８本など、単独構造物の大きさや耐荷重に合わせて、選択すれば良い。また、複数本の支柱のうち、全てを取替部材（実施例では寸切りボルト）とする必要はなく、少なくとも２本が取替部材であればよい。他の部材は従来通りの固定的な雄ネジとし、少なくとも２本以上の取替部材を取替えるものとしても良い。
【００４７】
・変形例３：
本実施例では、支柱や寸切りボルトは、電食などの問題を生じないように、鋼管や同じ材料の鋼鉄としたが、電食対策を施した上で、鋼鉄とステンレスなどの組合せとすることも可能である。もとより、全体をステンレス材料を用いて構成し、腐食や錆に強い基礎アンカーとしても良い。あるいは、クロムやタングステン、チタンなどの合金を用いたり、鉄材の表面にこれらの材料の被膜を設けた材料を用いて構成しても良い。更に、支柱や取替部材としては、金属−樹脂、あるいはカーボンやセラミック等との複合材を用いても良い。複数本の支柱を支える枠体は、上記実施例では、回廊形状の枠体１２，１４を用いたが、円形ないしドーナッツ形状の枠体を用いても良い。もとより、その他の形状（三角形状、六角形状などの多角形状など）を用いることも差し支えない。更には、枠体を高さ方向に厚みのある形状とし、例えば１つの枠体とすることも可能である。固定的な枠体を用いず、複数本の支柱を、例えば鉄筋などを溶接して結合することも差し支えない。この場合は、鉄筋の総体が枠体に相当する。
【００４８】
・変形例４：
上記実施例では、取替部材として寸切りボルト３１ないし３４を用いたが、他の方法で雄ネジを形成した部材を用いても良い。例えば、鋼管や鋼棒の外周にダイスにより、Ｍ２４やＭ３６などの雄ネジを形成したものを用いてもよい。雄ネジは、抗外灯などの大きさを重量、支柱の本数などに応じて、十分な耐荷重が得られれば良く、メートルネジであってもユニファイネジであっても差し支えない。また、支柱側のネジ径と抗外灯を取り付け用の雄ネジのネジ径とを異ならせた部材を作り、同じ支柱を用いて、異なる取付穴の単独構造物を設置可能としても良い。例えば支柱側の雌ネジをＭ３６とし、これにＭ３６の寸切りボルトを螺合すれば、抗外灯などの単独構造物側もＭ３６に適合した取付穴を有するものを設置できる。他方、下側がＭ３６、上側がＭ２４の雄ネジをそれぞれ形成した取替部材を用意すれば、抗外灯などの単独構造物側の取付穴がＭ２４であるものを設置することができる。こうすれば同じ基礎アンカーで、複数種類の柱脚に適合させることができる。
【００４９】
・変形例５：
上記実施形態では、ドラム４０として円筒形状のものを用いたが、角筒形状のものを用いても良い。また、上記実施形態では、鉄筋を溶接して基礎アンカー１０を固定するために、ドラム４０は鉄製としたが、基礎アンカー１０が固定でき、埋設時に所定の強度を保てれば、ドラムの材質は鉄製にこだわらない。ステンレスやチタン、真鍮など、他の金属や合金でも良いし、コンクリート製であっても良い。複合材を用いても差し支えない。
【００５０】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行なうことが可能である。また、その技術的特徴が本明細書中に必須なものとして説明されていなければ、適宜、削除することが可能である。
【００５１】
例えば、単独構造物としては、抗外灯、道路標識、信号灯、街路看板などに限られず、標識灯、無線アンテナ用鉄柱、携帯電話アンテナ用鉄柱、旗掲揚ポール、電柱など種々の単独構造物の設置に用いることができる。また、設置場所は道路脇に限られず、空き地、構内、庭など何れでも良い。
【符号の説明】
【００５２】
１０…基礎アンカー
１２，１４…枠体
２１〜２４…支柱
２１ａ…雌ネジ部
２１ｂ…鋼管部
４０…ドラム
３１〜３４…寸切りボルト
４１〜４４，５１〜５４…鉄筋
６１…六角部
７１，７２…ナット
８１…緩み止めプレート
９１…アンカーボルト
９２…ナット
１００…埋設穴
２００…プレキャスト
３００…抗外灯
【図１】
2015034432.tif 000003
【図２】
2015034432.tif 000004
【図３】
2015034432.tif 000005
【図４】
2015034432.tif 000006
【図５】
2015034432.tif 000007
【図６】
2015034432.tif 000008
【図７】
2015034432.tif 000009
【図８】
2015034432.tif 000010
【図９】
2015034432.tif 000011
【図１０】
2015034432.tif 000012
【図１１】
2015034432.tif 000013
【図１２】
2015034432.tif 000014